(57)【要約】  通常より短い軸筒内で通常のシャープペンシル用６０ｍｍ芯を繰出すことができるスライド式複合筆記具を提供する。  スライド式複合筆記具は、軸筒１と、軸筒１内に前進および後退可能に設けられ、芯収容部８を備えた筆記体２７を含む複数の筆記体と、筆記体の一部を構成し、前進又は後退方向にスライドすることにより、芯収容部８を前進又は後退させるものであって、芯収容部８が挿入されているクリップベース１３と、芯収容部８の先端又はレフィール１０の先端が突出するように、軸径方向において、軸筒１の軸心よりも芯収容部８側に偏心して軸筒１の先端に設けられた先穴３１と、を備える。
2010024346.tif 000002
【特許請求の範囲】
【請求項１】
軸筒と、
軸筒内に前進および後退可能に設けられ、芯収容部を備えた筆記体を含む複数の筆記体と、
筆記体の一部を構成し、一端を前進又は後退方向にスライド操作することにより、芯収容部を前進又は後退させる部材であって、芯収容部が非操作側端である他端に挿入されているスライド部材と、
筆記体の先端が突出するように、軸径方向において、軸筒の軸心よりも芯収容部側に偏心して軸筒の先端に設けられた先穴と
を備えた複合筆記具。
【請求項２】
前記先穴は、軸筒の軸心と芯収容部とを軸径方向で結ぶ線上の位置に設けられている請求項１に記載の複合筆記具。
【請求項３】
前記複合筆記具では、スライド部材の操作端側にクリップ取付部を設け、スライド部材の非操作側端に芯収容部を挿入するとともに、クリップ取付部側に偏心して先穴が設けられる請求項１に記載の複合筆記具。
【請求項４】
前記芯収容部を備えた筆記体を含む複数の筆記体は、軸筒内に設けられたガイドストッパに形成される各々の孔に挿通され軸筒内で摺動可能に設けられ、このガイドストッパにおける芯収容部が挿通する芯貫通孔を軸筒の中心に近付けて形成することで、芯収納部を軸筒の中心に近付くように位置させることを特徴とする請求項１に記載の複合筆記具。
【発明の詳細な説明】
【技術分野】
【０００１】
本発明は、軸筒内に設けられるスライド部材のスライド操作により、複数の筆記体を選択的に前進又は後退させて筆記可能とする複合筆記具に関するものである。
【背景技術】
【０００２】
従来のスライド式複合筆記具として、スライド部材である押子の端部がシャープペンシル用芯収容部の後端にフレキシブルに接合されたものが提案されている（例えば、特許文献１参照）。【０００３】
この押子がシャープペンシル用芯収容部とフレキシブルに接合されることで、シャープペンシル用芯収容部を前進させ、押子のノック操作により先穴から芯が繰出される。この接合部の可撓性により、芯の繰出操作に伴ってシャープペンシル用レフィール側には撓みの影響を与えないので芯折れは発生しない。
【先行技術文献】
【特許文献】
【０００４】
【特許文献１】特開２００５−１１１８７６号公報
【発明の概要】
【発明が解決しようとする課題】
【０００５】
しかし、従来のスライド式複合筆記具では、スライド部材の先端（非操作側端）をシャープペンシル用芯収容部の後端に接合しているので、スライド部材の先端部にシャープペンシル用芯収容部の後端が位置していた。【０００６】
そのため、通常のシャープペンシル用芯６０ｍｍが収納された芯収容部を用いた場合、芯収容部にスライド部材を直列方向に加えた長さ以上に軸筒の全長を伸長せざるを得なかった。【０００７】
この発明は上述のような課題を解決するためになされたものであり、通常の筆記具よりも全長が短い軸筒に通常の６０ｍｍ芯を収容することができ、かつ芯繰出操作に伴う芯折れを防止することができるシャープペンシルを有する複合筆記具を提供することを目的とする。
【課題を解決するための手段】
【０００８】
この発明に係る複合筆記具は、軸筒と、この軸筒内に前進および後退可能に設けられ、芯収容部を備えた筆記体を含む複数の筆記体と、筆記体の一部を構成し、一端を前進又は後退方向にスライド操作することにより、芯収容部を前進又は後退させる部材であって、非操作側端である他端に芯収容部が挿入されているスライド部材と、筆記体の先端が突出するように、軸径方向において、軸筒の軸心よりも芯収容部側に偏心して軸筒の先端に設けられた先穴と、を備えている。この複合筆記具には、シャープペンシル、ボールペン等の筆記具に加え、アイライナー等の化粧用の筆記具も含まれる。【０００９】
また、先穴を軸筒の軸心よりも芯収容部側に偏心して軸筒の先端に設けたので、従来のようにスライド部材と芯収容部との接合部位において可撓性を持たせなくとも、芯折れを防止し先穴から芯を繰り出すことができる。【００１０】
前記先穴は、軸筒の軸心と芯収容部とを軸径方向で結ぶ線上の位置に設けられてもよい。
また、前記複合筆記具では、スライド部材の操作側端にクリップ取付部を設け、スライド部材の非操作側端に芯収容部を挿入するとともに、芯収容部を備えた筆記体が前進するときのクリップ取付部側に偏心して先穴が設けられる構成とすることができる。【００１１】
さらに、前記芯収容部を備えた筆記体を含む複数の筆記体は、軸筒内に設けられたガイドストッパに形成された各々の孔に挿通され軸筒内で摺動可能に設けられ、このガイドストッパにおける芯収容部が挿通する芯貫通孔を軸筒の中心に近付けて形成することで、芯収納部を軸筒の中心に近付くように位置させることが可能である。
上記のようにすれば、芯収容部を備えた筆記体の撓みを防止して芯繰出操作に伴う芯折れを防止することができる。
【発明の効果】
【００１２】
この発明の複合筆記具によれば、スライド部材内に芯収容部を挿入して芯の一部を収容可能とすることにより、全長の短い複合筆記具を提供できる。
【図面の簡単な説明】
【００１３】
【図１】この発明のスライド式複合筆記具を示す縦断面図である。
【図２】スライド式複合筆記具の使用状態を示す縦断面図である。
【図３】先穴の位置を偏心させる例を示す図であり、図３(ａ)は先具の正面図、図３(ｂ)は先具の縦断面図、図３(ｃ)は先具の背面図、図３(ｄ) は図３(ｂ)のＡ‐Ａ線断面図、図３(ｅ)は先具の斜視図である。
【図４】ガイドストッパの全体斜視図である。
【図５】ガイドストッパの保持板に設けた孔を示す図である。
【図６】図２におけるガイド窓孔位置での軸筒の横断面図を示す。
【発明を実施するための形態】
【００１４】
以下、本発明を実施するための最良の形態について、図面を参照しながら、さらに具体的に説明する。
図１は、スライド式複合筆記具の縦断面図である。この例では、シャープペンシル用芯９を収容する芯収容部（芯タンク）８を備えた第１筆記体２７と、赤、青又は黒の３色のボールペンインクを有する３本のレフィール１０を備えた３本の第２筆記体２８と、を有する複合筆記具が示されている。複合筆記具の第１筆記体２７及び第２筆記体２８は、軸筒１内で摺動自在に設けられている。芯収容部８は、芯の保護のため、撓み難く剛性の高い、例えば、金属等により形成される。レフィール１０は、例えば、細長いパイプ形状の合成樹脂製であり、前記芯収容部８と比較して撓み易く形成される。
ここでは、通常より全長の短い軸筒１内で通常の６０ｍｍ芯９を繰出すことができるスライド式複合筆記具について説明する。
【００１５】
軸筒１内に通常の６０ｍｍ芯９を収納するためのスペースを設ける必要があり、また、芯９を繰出すためには、芯９が撓むことなしに前進できるようにする必要がある。
【００１６】
軸筒１は、先具２１の先端に先穴３１が形成された前軸２２と、その後部に接続された後軸２３とから構成される。また、後軸２３の後部周壁には、細長いガイド窓孔２４、２５が長手方向に沿って形成されている。そして、後軸２３は、その内壁に後述するガイドストッパ１８が形成され、ガイドストッパ１８の軸心には干渉部材１８ａが形成されている。
【００１７】
さらに、軸筒１内にはシャープペンシルの芯９を収容する芯収容部８と、３種類の異なった色のインクが充填された細いパイプ形状のレフィール１０とがそれぞれ収納されている。これらの芯収容部８及びレフィール１０の先端にはそれぞれ先金２、先端チップ３が設けられている。
【００１８】
芯収容部８と先金２との間には、芯繰出し機構部６が設けられる。芯繰出し機構部６は芯９を把持するチャック４及びチャックスプリング５を有している。この芯繰出し機構部６は、継手７を介して芯収容部８の先端部に固定されている。
【００１９】
芯収容部８の後方には、クリップベース１３（スライド部材）が設けられる。このクリップベース１３には、その後端１３ｅ側に一体に設けられ、ガイド窓孔２４から外方に突出するクリップ取付部２９を介して、クリップ１５が取り付けられる。また、それぞれのレフィール１０の後端部には、操作部材１７が設けられている。さらに、クリップベース１３と、このクリップベース１３を挟んで等間隔に位置する３本の操作部材１７とが設けられている。そして、クリップ取付部２９はガイド窓孔２４内を、操作部材１７はガイド窓孔２５内を、それぞれ移動可能であり、クリップベース１３及び操作部材１７は、軸筒１内で摺動自在に設けられている。
【００２０】
ここで、クリップベース１３は先端部１３ｄ（非操作側端）が開口し、クリップベース１３に形成されたクリップ取付部２９が、ガイド窓孔２４内を前進又は後退方向にスライドすることで、クリップベース１３の中空部１３ｃに深く挿入された芯収容部８を前進又は後退させるようになっている。芯収容部８内の芯９は、クリップベース１３の後方まで移動が許容され、芯収容部８の後端が軸方向におけるクリップベース１３の先端部１３ｄと後端部１３ｅの中間位置よりも、クリップベース１３の後端部１３ｅ側に位置している。
【００２１】
上述のように、芯パイプ８は金属製等からなる細いパイプ形状で、その後端が開放されており、クリップベース１３内の中空部１３ｃに、着脱可能に嵌装される。
また、レフィール１０は、例えば、樹脂製の細いパイプ形状であってその後端が開放され、前記操作部材１７の細いロッド形状の先端は、レフィール１０の開放された後端に着脱可能な程度で圧入され、取り付けられている。
【００２２】
ガイド窓孔２４から突出するクリップ取付部２９（操作側端）においては、クリップ１５を支持する継手１４及びクリップスプリング１６を介して、クリップ１５が先端部を軸筒方向に付勢されながらその後端部を揺動可能に軸支されている。
【００２３】
なお、クリップベース１３及び操作部材１７は、軸筒１内の前進又は後退時にそれぞれの前進位置又は後退位置を解除するための解除片１３ａ、１３ｂ、１７ａ、１７ｂを有している。また、クリップベース１３及び操作部材１７は、軸筒１内の前進又は後退時にガタツキを防止するための突起１３ｆ、１７ｆ(図２)を有している。
また、ガイド窓孔２４、２５の両側は、クリップベース１３及び操作部材１７の前進時にクリップベース１３及び操作部材１７の突起１３ｆ、１７ｆが嵌合する溝２４ａ、２５ａ及びレール２４ｂ、２５ｂ(図２、図６を有している。溝２４ａ、２５ａ及びレール２４ｂ、２５ｂは、ガイド窓孔２４、２５の後端両側からクリップベース１３及び操作部材１７の摺動ストロークに相当する長さだけ設けられている。クリップベース１３及び操作部材１７が、レール２４ｂ、２５ｂに沿って摺動する。
【００２４】
先具２１の先端に設けられる先穴３１の位置は、軸筒１の軸心Ｃからやや偏心して形成されている。図３は、先具２１の先端に設けられる先穴３１の位置を示す図である。図１、図３(ｂ)に示すように、先穴３１は、軸径方向において、軸筒１の軸心Ｃよりも、芯収容部８を収容するクリップ取付部２９側に偏心している。
【００２５】
先穴３１の位置を偏心させた結果、先具２１の形状は、均一な曲面とは異なるものとなる。すなわち、図３(ｂ)において、先穴３１の位置が偏心している上側の曲面形状３２よりも下側の曲面形状３３の曲率が比較的大きくなるように形成されている。これに対して、上側の曲面形状３２は全体としてほぼ同じ曲率となるように形成されている。
【００２６】
先具２１は、先具２１の後端の内壁に設けられるネジ溝３４を介して、前軸２２の係合部と螺合する。上側の曲面形状３２のほぼ同じ曲率部分と、下側の曲面形状３３の比較的大きな曲率の変化部分とは、ネジ溝３４よりも先穴３１側の先端部分に形成される。
【００２７】
図３(ａ)及び図３(ｃ)は、先具２１の正面図及び背面図である。先穴３１の位置が偏心している方向の外周面上に偏心方向を示す突起３５が先部２１に設けられている。
【００２８】
図３(ｄ)及び図３(ｅ)は、図３(ｂ)のＡ‐Ａ線段面図及び先具２１の斜視図である。先穴３１の位置が偏心していない横断面においては、曲面形状３６の曲率は均一である。
また、図３(ｃ)において仮想的に示すように、先穴３１を偏心させる位置は、軸筒の軸心Ｃと芯収容部８とを軸径方向で結ぶ線上の位置に設けられてもよい。また、芯収容部８を備えた第１筆記体２７が前進するときのクリップ取付部２９側に偏心して、先穴３１が設けられてもよい。ここで、先穴３１の位置は、軸筒１の軸心Ｃから、例えば約１ｍｍ程度偏心すればよい。
【００２９】
このスライド式複合筆記具では、クリップベース１３又は操作部材１７の選択的な操作により、芯収容部８からの芯９の先端又はボールペン用のいずれかのレフィール１０の先端が偏心した先穴３１から突出する。
【００３０】
これらの芯収容部８及びクリップベース１３と、レフィール１０及び操作部材１７とは、それぞれ軸筒１内に挿入したガイドストッパ１８に対して、選択的に摺動可能に設けられている。ガイドストッパ１８は、図４に示すように、前方側が円筒状であり、その横断面に沿って保持板１８ｂが設けられ、その軸心には芯収容部８及びクリップベース１３、レフィール１０及び操作部材１７の軸心Ｃ方向への移動を制限する干渉部材１８ａが、後方に向けて水平方向に延出するように設けられている。
【００３１】
他方、ガイドストッパ１８は、その後端部とクリップベース１３の先端部との間で芯収容部８に巻装されるリターンスプリング１２の前方移動を規制し、また芯収容部８の撓みを防止する役目をもっている。リターンスプリング１２は、クリップベース１３を後方に付勢する。
【００３２】
また、ガイドストッパ１８は、その後端部と操作部材１７の先端部との間でレフィール１０に巻装されるリターンスプリング１１の前方移動を規制し、またレフィール１０の撓みを防止する役目も有している。リターンスプリング１１は、操作部材１７を後方に付勢している。
【００３３】
このガイドストッパ１８の軸心に設けられた干渉部材１８ａは、リターンスプリング１１、１２の変形である撓みを防止するのに充分な長さを有している。さらに、ガイドストッパ１８の前記保持板１８ｂには、図５に示すように、芯収容部８及びレフィール１０が貫通する４個の孔が形成されている。この例では、芯収容部８が貫通する最上部の芯貫通孔５０は、卵形曲線に近い曲線で画定される上下方向に細長い形状であり、上側に比べ下側の曲率が大きく、左右の幅が小さい、ほぼ卵形の変則円に形成される。この芯貫通孔５０は、ガイドストッパ１８の軸心（軸筒１の軸心）に近接するように形成されている。
一方、前記芯貫通孔５０を除き、左右及び下方に設けられる３つのレフィール貫通孔５１はそれぞれ正円に形成されている。これらは、前記芯貫通孔５０と対比すると、ガイドストッパ１８の軸心（軸筒１の軸心）から若干離間している。
【００３４】
また、前記干渉部材１８ａは、前記貫通孔５０との重なりを回避するために、円形の一部を切り欠いた断面形状を備えている。
上記のような芯貫通孔５０に芯収納部８が挿通したときは、芯収納部８が、ガイドストッパ１８の軸心に近付くように位置するので、芯収納部８が撓まなくても芯繰出し機構部６の先端部までをほぼ直線状態にしたまま、先穴３１から芯９を繰出すことができる。
なお、芯貫通孔５０は、ガイドストッパ１８の軸心（軸筒１の軸心）に近付くように形成されればよいので、その形状は図示の例に限定されない。
【００３５】
軸筒１の後端部には、中空状のキャップ２０が取り外し可能に設けられ、キャップ２０内には消しゴム１９が収納されている。
【００３６】
次に、上記実施の形態によるスライド式複合筆記具の動作について説明する。
図２は、この発明の実施の形態による使用状態を示すスライド式複合筆記具の縦断面図である。図２において、この例ではシャープペンシルの芯収容部８に収容された芯９が前進されて使用状態であることを図示している。
【００３７】
まず、シャープペンシルを使用したい場合には、クリップ１５がクリップ取付部２９を介して取り付けられるクリップベース１３を前方にスライドさせる。すると、リターンスプリング１２が圧縮されながらクリップベース１３と芯収容部８とが軸筒１内を前進する。
【００３８】
クリップベース１３のスライド操作開始時には、クリップ取付部２９は、ガイド窓孔２４内を移動し、クリップベース１３はレール２４ｂに沿って摺動する。また、突起１３ｆはクリップベース１３を溝２４ａ内で摺動可能に案内する。
そして、クリップ取付部２９が、ガイド窓孔２４の後端からクリップベース１３の摺動ストロークに相当する長さだけ前進すると、ガイド窓孔２４両側のレール２４ｂの前端部に係止され、クリップ取付部２９は約２分の１程度ガイド窓孔２４内に沈み込む。
【００３９】
クリップベース１３の前端部に当接しながら縮むリターンスプリング１２による後方への付勢力は、クリップベース１３に対して働く。これにより、クリップベース１３の後端部（係止端面）１３ｅが、ガイド窓孔２４両側のレール２４ｂの前端部に係止されて、芯収容部８からの芯９の先端が突出して筆記状態となる。
【００４０】
クリップベース１３が前進して、シャープペンシル用の芯収容部８中の芯９の先端が偏心させた先穴３１から突出する。この状態において、シャープペンシルの筆記が可能となる。
【００４１】
先穴３１の位置を、第１筆記体２７が後退した状態における芯収容部８側（クリップ取付部２９側）に偏心させているので、クリップベース１３から芯収容部８に連なる芯繰出し機構部６の先端部までをほぼ直線状態にしたまま、先穴３１から芯９を繰出すことができる。
【００４２】
ガイドストッパ１８の軸心に設けられた、例えば樹脂製の干渉部材１８ａが、軸筒１内の芯収容部８の前進時における芯収容部８及びクリップベース１３の軸心Ｃ方向への移動を制限する。
【００４３】
したがって、芯収容部８及びクリップベース１３は、前記干渉部材１８ａの位置より軸心Ｃ方向へ寄り過ぎることがない。
【００４４】
また、ボールペンを使用する場合は、例えば、芯収容部８と対向する位置の青色のボールペン用のレフィール１０に接続した操作部材１７の操作部を前方にスライドさせる。すると、リターンスプリング１１が圧縮されながら選択された操作部材１７とレフィール１０とが軸筒１内を前進する。
【００４５】
操作部材１７のスライド操作開始時には、操作部材１７の後部は、ガイド窓孔２５内を摺動する。このとき、操作部材１７の突起１７ｆは溝２５ａ内を摺動する。
そして、操作部材１７がガイド窓孔２５の長さ分前進すると、ガイド窓孔２５両側のレール２５ｂ（図６）の前端部に沿って、操作部材１７の後部はガイド窓孔２５内に沈み込む。
【００４６】
操作部材１７の前端部に当接するリターンスプリング１１の後方への付勢力が働くことにより、操作部材１７の後端の係止端面がガイド窓孔２５両側のレール２５ｂ（図６）の前端部に係止されて、レフィール１０の先端が突出して筆記状態となる。
【００４７】
操作部材１７が前進してボールペン用のレフィール１０の先端が偏心させた先穴３１から突出する。この状態において、青色のボールペンの筆記が可能となる。他の色のボールペンも同様である。
このとき、先穴３１の位置を第１筆記体２７が後退した状態における芯収容部８側（クリップ取付部２９側）に偏心させているので、操作部材１７からレフィール１０の先端部までを撓み状態にする必要がある。
【００４８】
操作部材１７からレフィール１０の先端部まで、比較的大きな撓みを必要とするが、操作部材１７とレフィール１０との結合部における撓みと、レフィール１０自身の撓みと、レフィール１０と先端チップ３との結合部における撓みと、により、必要な分だけ撓ませることができる。このように、第１筆記体２７と比較し、第２筆記体２８は撓みやすいので、円滑な操作に問題は生じない。
したがって、偏心させた先穴３１から先端チップ３を容易に突出させることができる。
【００４９】
筆記を終了して突出された芯収容部８又はレフィール１０を後退させるには、以下のような動作をする。
ここでは、先に示したシャープペンシルの芯収容部８に収容された芯９が前進されている使用状態から、芯収容部８を軸筒１内に後退させる例を説明する。
【００５０】
芯収容部８とクリップベース１３とが軸筒１内を前進している状態から、選択されなかった他の操作部材１７をスライド操作して前進させる。すると、他の操作部材１７の前進により、操作部材１７に形成された前解除突部１７ａが、クリップベース１３の後解除突部１３ｂに当接する。
【００５１】
これにより、ガイド窓孔２４両側のレール２４ｂの前端部に係止されているクリップベース１３の後解除突部１３ｂが外方に押し上がるため、クリップベース１３の後端１３ｅとガイド窓孔２４両側のレール２４ｂの前端部との係止が解除される。
【００５２】
その結果、ガイド窓孔２４両側のレール２４ｂの前端部に係止されているクリップベース１３がリターンスプリング１２により後方に付勢されて芯収容部８と共に後退する。よって、クリップベース１３は初期位置に戻るので芯収容部８の芯９の先端も前軸１内に収納される。
【００５３】
シャープペンシルの芯収容部８に収容された芯９が前進している使用状態において、芯繰出し機構部６の継手７に大きな撓みが発生することがないため、クリップベース１３の後端１３ｅとガイド窓孔２４両側のレール２４ｂの前端部との係止の解除動作にも支障がない。
【００５４】
この新たに操作された操作部材１７を、更に係止位置であるガイド窓孔２５両側のレール２５ｂの前端部までスライドさせて前進させると、先に示したレフィール１０が前進したボールペンの使用状態になる。
【００５５】
本実施形態にかかる筆記具では、芯収容部８がクリップベース１３内に挿入されるので、全長の短い軸筒１内に通常の６０ｍｍ芯収容部８を収納できる。したがって、６０ｍｍ芯を収容可能な全長の短いスライド式複合筆記具が提供される。
【００５６】
クリップベース１３内に芯が存在するため、クリップベース１３および芯収容部８を前進させた際、クリップベース１３および芯収容部８を撓ませると芯折れを発生させるおそれがあるが、本実施形態では、先穴３１を、軸筒１の軸心よりも第１筆記体２７の後退位置における芯収容部８側に偏心して軸筒１の先端に設けたので、第１筆記体２７の前進時にクリップベース１３および芯収容部８が撓まなくとも芯折れを発生させることなく芯を繰り出すことができる。
【００５７】
また、芯繰出し機構部６の継手７のみが強く曲がると、芯９が円滑に繰出されないおそれがあるので、前進時に、継手７を撓み部材として大きく撓ませることができない。しかし、本発明では、先穴３１が偏心しているので継手７がほとんど撓まなくとも芯折れを発生させずに芯を繰出すことができる。
【００５８】
さらに、芯収容部８をクリップベース１３の中空部１３ｃ内に挿入した場合、芯収容部８自体に撓み部材を設けることができなくなるが、先穴３１の位置を芯収容部８側に偏心させているので、芯折れを発生させずに芯を繰出すことができる。また、クリップベース１３内に芯が存在していても、クリップベース１３と芯収容部８との結合部が撓まないことで、芯を保護できる。
【００５９】
先穴３１は、軸筒の軸心Ｃと芯収容部８とを軸径方向で結ぶ線上の位置に設けられてもよいし、芯収容部８を備えた第１筆記体２７が前進するときのクリップ取付部２９側に偏心して先穴３１が設けられてもよい。これにより、芯収容部８を備えた第１筆記体２７の撓みを抑制し、繰出し操作に伴う芯折れの発生を防止する。
【００６０】
さらに、クリップベース１３及び操作部材１７の前進時にクリップベース１３及び操作部材１７の突起１３ｆ、１７ｆがレール２４ｂ、２５ｂに沿って溝２４ａ、２５ａ内を摺動するので、クリップベース１３のガタツキを防止して、クリップ１５を安定して操作することができる。
【００６１】
第２筆記体２８に関して言えば、ガイドストッパ１８の軸心に設けられた干渉部材１８ａが、軸筒１内におけるレフィール１０の前進時における操作部材１７及びレフィール１０の軸心方向への移動を制限している。したがって、操作部材１７及びレフィール１０は、前記干渉部材１８ａが設けられる位置より軸心方向へ寄ることはない。この場合、軸筒１内において、操作部材１７及びレフィール１０が、ガイド窓孔内２４、２５側のガイド片２４ａ、２５ａに沿ってガイド窓孔２４、２５内に沈み込んだ位置から、操作部材１７とレフィール１０との結合部が撓み作用を伴うため、操作部材１７からレフィール１０の先端部までの各部分を撓ませた状態で、レフィール１０の先端部の適正な前進位置を確保することができる。
【００６２】
上述した本発明の実施の形態においては、軸筒１の長さが通常より短い場合に、通常の長さのシャープペンシル用芯を収納するための例について説明したが、通常の長さの軸筒１を用い、通常の長さのシャープペンシル用芯を収納する場合にも、先穴３１の位置を芯収容部８側に偏心させる例を適用することができる。
【００６３】
本発明は前述した実施形態に限定されるものではなく、本発明の要旨の範囲内、又は、特許請求の範囲の均等範囲内で、各種の変形実施が可能である。
【符号の説明】
【００６４】
１…軸筒、８…芯収容部、１０…レフィール、１３…クリップベース（スライド部材）、１７…操作部材、１８…ガイドストッパ、２４及び２５…ガイド窓孔、２７…第１筆記体２８…第２筆記１体、３１…先穴
【図１】
2010024346.tif 000003
【図２】
2010024346.tif 000004
【図３】
2010024346.tif 000005
【図４】
2010024346.tif 000006
【図５】
2010024346.tif 000007
【図６】
2010024346.tif 000008
【国際調査報告】
2010024346.tif 000009
2010024346.tif 000010
2010024346.tif 000011
2010024346.tif 000012